(57)【要約】【課題】省スペース化を図ると共に、衣服のコーディネートを容易に行うことができるようにする。【解決手段】衣服のコーディネートをするためのお出かけユニット１００は、一対の縦框１０と、一対の縦框１０の間に固持され、人の少なくとも上半身を映せるミラー２０と、縦框１０の前面の少なくとも一方の側部とミラー２０との間に設けられ、縦框１０の縦方向に互いに間隔をおいた複数の係合孔２２ａを有する棚柱２２とを備えている。【選択図】図６
2017086386.tif 000002
【特許請求の範囲】
【請求項１】
衣服のコーディネートをするためのお出かけユニットであって、
一対の縦框と、
前記一対の縦框の間に固持され、人の少なくとも上半身を映せるミラーと、
前記縦框の前面の少なくとも一方の側部と前記ミラーとの間に設けられ、前記縦框の縦方向に互いに間隔をおいた複数の係合孔を有する棚柱とを備えていることを特徴とするお出かけユニット。
【請求項２】
衣服のコーディネートをするためのお出かけユニットであって、
一対の縦框と、
前記一対の縦框の間に固持され、人の少なくとも上半身を映せるミラーと、
前記縦框の前面の少なくとも一方の側部と前記ミラーとの間に設けられ、前記縦框の縦方向に互いに間隔をおいた複数の係合孔を有する棚柱と、
一方の端部に衣服用のハンガーを係止可能で、他方の端部が前記棚柱における前記複数の係合孔の少なくとも１つに係合されるハンガーフックとを備え、
前記ハンガーフックの他方の端部には、前記一方の端部を少なくとも前記ミラーの前面と前記縦框の外側部分とにおいて保持可能とする回動支持部が設けられていることを特徴とするお出かけユニット。
【請求項３】
請求項１又は２に記載のお出かけユニットにおいて、
前記棚柱は、前記ミラーの両方の側方に設けられていることを特徴とするお出かけユニット。
【請求項４】
請求項１〜３のいずれか１項に記載のお出かけユニットにおいて、
前記ミラーは、人の全身を映すことができることを特徴とするお出かけユニット。
【請求項５】
請求項１〜４のいずれか１項に記載のお出かけユニットにおいて、
前記縦框の複数の係合孔は、前記ミラーの縦方向の全域又は前記縦框の縦方向の全域にわたって配設されていることを特徴とするお出かけユニット。
【発明の詳細な説明】
【技術分野】
【０００１】
本発明は、ミラー並びに該ミラーの側方に設けられた棚柱を有する壁面収納型のお出かけユニットに関する。
【背景技術】
【０００２】
従来、外出時の衣服、バッグ及び宝飾品等を収納し、側面にミラー及び棚を設けたボックス型の収納家具がある（例えば、特許文献１を参照。）。
【先行技術文献】
【特許文献】
【０００３】
【特許文献１】実用新案登録第３１９７７２５号公報（図１）
【発明の概要】
【発明が解決しようとする課題】
【０００４】
しかしながら、特許文献１に記載の収納家具は、既存の収納に別途追加する形式であり、狭い住宅環境では場所を占有するため、その設置が困難である。また、外形の寸法をコンパクトに抑えるため、ミラーの大きさも十分ではなく、さらに、ミラーとハンガー及び棚の位置にも制限があり、外出前の衣服の確認を行いづらいという問題がある。
【０００５】
本発明は、かかる点に鑑み、その主たる目的は、省スペース化を図ると共に、衣服のコーディネートを容易に行えるようにすることにある。
【課題を解決するための手段】
【０００６】
上記の目的を達成するため、本発明は、ミラーと、該ミラーの少なくとも一方の側方に複数の係合孔を有する棚柱を設ける構成とする。この構成により、ミラー脇の棚柱にハンガーフックを取り付けた場合には衣服用ハンガー等を掛けることができ、さらには棚を設けることも可能となる。
【０００７】
具体的に、第１の発明は、衣服のコーディネートをするためのお出かけユニットを対象とし、一対の縦框と、該一対の縦框の間に固持され、人の少なくとも上半身を映せるミラーと、縦框の前面の少なくとも一方の側部とミラーとの間に設けられ、縦框の縦方向に互いに間隔をおいた複数の係合孔を有する棚柱とを備えている。
【０００８】
第１の発明によると、本発明に係るお出かけユニットの奥行きは、実質的にミラーを保持する縦框の奥行きであるため、玄関、寝室、廊下、居間又は洗面所等、場所を選ばずに設置することができ、さらには、壁面に埋め込むことも可能である。
【０００９】
また、棚柱の少なくとも一方の側部に設けた係合孔にフックを取り付け、身だしなみ小物等を該フックに掛けることも可能となる。さらに、棚柱をミラーの両方の側部に設ける場合には、一対の棚用フックを別途取り付ければ、取り付けられた棚の上に、鞄、身だしなみ小物又は宝飾品（アクセサリ）等々を載せることができる。
【００１０】
第２の発明は、衣服のコーディネートをするためのお出かけユニットを対象とし、一対の縦框と、該一対の縦框の間に固持され、人の少なくとも上半身を映せるミラーと、縦框の前面の少なくとも一方の側部とミラーとの間に設けられ、縦框の縦方向に互いに間隔をおいた複数の係合孔を有する棚柱と、一方の端部に衣服用のハンガーを係止可能で、他方の端部が棚柱における複数の係合孔の少なくとも１つに係合されるハンガーフックとを備え、ハンガーフックの他方の端部には、一方の端部を少なくともミラーの前面と縦框の外側部分とにおいて保持可能とする回動支持部が設けられている。
【００１１】
第２の発明によると、第１の発明に加え、一方の端部に衣服用のハンガーを係止可能で、他方の端部が棚柱における複数の係合孔の少なくとも１つに係合されるハンガーフックをさらに備えているため、該ハンガーフックを、棚柱に設けられた係合孔の人の首部分に相当する高さ又は腰部分に相当する高さに取り付け、取り付けたハンガーフックをミラーの前面で保持して、所望の衣服を吊したハンガーをハンガーフックに掛けることができる。これにより、自身の姿をハンガーに掛けた衣服と重ねて映すことができるので、衣服のコーディネートを容易に行うことができる。
【００１２】
第３の発明は、上記第１又は第２の発明において、棚柱はミラーの両方の側方に設けられていてもよい。
【００１３】
このようにすると、ミラーの前に棚を設けることが可能となり、また、本発明に係るハンガーフックを両側の棚柱に取り付ければ、衣服を吊したハンガーをミラーの前で交互に保持することができるので、コーディネートをより効率的に行うことができる。
【００１４】
第４の発明は、上記第１〜第３の発明において、ミラーは、人の全身を映すことができてもよい。
【００１５】
このようにすると、上半身用衣服（トップス）だけでなく、下半身用衣服（ボトムス）のコーディネートをも同時に行うことができる。
【００１６】
第５の発明は、上記第１〜第４の発明において、縦框の複数の係合孔は、ミラーの縦方向の全域又は縦框の縦方向の全域にわたって配設されていてもよい。
【００１７】
このようにすると、棚柱の見栄え、ひいては、本発明のお出かけユニットの見栄えが良くなる。さらに、本発明のハンガーフック及び棚の取り付け位置の自由度が向上する。
【発明の効果】
【００１８】
本発明に係るお出かけユニットによれば、省スペース化を図ると共に、衣服のコーディネートを容易に行うことができる。
【図面の簡単な説明】
【００１９】
【図１】図１は本発明の一実施形態に係るお出かけユニットを示す正面図である。
【図２】図２は図１の平面図である。
【図３】図３は図１のIII−III線における断面図である。
【図４】図４は図３の領域Ａを示す部分的な拡大断面図である。
【図５】図５は図１のＶ−Ｖ線における断面図である。
【図６】図６は本発明の一実施形態に係るお出かけユニットを示す斜視図である。
【図７】図７は本発明の一実施形態に係るお出かけユニットに取り付けるハンガーフックを示す平面図である。
【図８】図８は本発明の一実施形態に係るお出かけユニットに取り付けるハンガーフックを示す右側面図である。
【図９】図９は本発明の一実施形態に係るお出かけユニットに取り付けた２本のハンガーフックに衣服をそれぞれ掛けた状態を示す正面図である。
【発明を実施するための形態】
【００２０】
本発明の実施形態を図面に基づいて説明する。以下の好ましい実施形態の説明は、本質的に例示に過ぎず、本発明、その適用物又はその用途を制限することを意図しない。
【００２１】
（一実施形態）
本発明の一実施形態に係るお出かけユニットについて図１〜図５を参照しながら説明する。図１は本実施形態に係るお出かけユニットの正面構成を示し、図２は図１の正面構成を示し、図３は図１のIII−III線における断面構成を示し、図４は図３の領域Ａを拡大して示している。また、図５は図１のＶ−Ｖ線における断面構成を示している。
【００２２】
本実施形態に係るお出かけユニット１００は、例えば壁面収納ユニットであって、図１、図２及び図５に示すように、木質材からなる一対の縦框１０と、該縦框１０の間に、木質材からなるミラー土台１１に接着して保持されたミラー２０と、縦框１０の前面の両側部とミラー２０との間に、縦框１０の縦方向に互いに間隔をおいた複数の係合孔２２ａを有し、例えば金属からなる棚柱２２とから構成されている。
【００２３】
なお、後述するハンガーフックを用いて、衣服のコーディネートをするには、棚柱２２はミラー２０の側面のいずれか一方で機能する。但し、ミラー２０の任意の位置に棚を設ける場合には、棚柱２２は、両側方に設けることが必要となる。また、デザイン的にも左右対称となり、見た目に安定する。
【００２４】
図４及び図５に示すように、ミラー土台１１とミラー２０との間には、シート面材１２を介在させている。また、図２及び図５に示すように、各縦框１０の内側面には、ミラー土台１１の裏面との接合部を含む隅部にミラー土台１１を保持するミラー土台保持材１３が接着されて固定されている。ここでは、ミラー土台保持材１３の裏面と縦框１０の裏面とは、面一としている。
【００２５】
また、図３及びその上部の部分拡大図である図４に示すように、ミラー２２の上端部及び下端部を保持するミラー留め２４がそれぞれ縦框１０に設けられている。
【００２６】
ここで、お出かけユニット１００における各部材の寸法及びその形成材の一例を示す。
【００２７】
縦框１０は、壁面収納ユニットの場合、その高さは、床面から天井までの高さでよく、例えば、２１００ｍｍから２６００ｍｍ程度、幅は５０ｍｍ角から１００ｍｍ角程度であってもよい。形成材には、挽材、合板、木質繊維板（ＩＢ、ＭＤＦ等）、木削片板（ＰＢ、ＯＳＢ等）、集成材又は単板積層材等を用いることができる。練り合わせ（突板）等の仕上げ材を用いてもよい。
【００２８】
ミラー２２の高さは、縦框１０の高さと同一でもよく、また、縦框１０よりも短くてもよい。縦框１０よりも短い場合は、起立した人の少なくとも上半身、好ましくは全身が映る程度の高さとする。ミラー２２の幅は、３００ｍｍから５００ｍｍ程度でよい。
【００２９】
ミラー土台１１は、その高さはミラー２０と同一の高さであり、形成材には、縦框１０で例示した材料を用いることができる。ここでは、ミラー２２との接着面に、厚さが２ｍｍから４ｍｍ程度のＭＤＦからなるシート面材１２を設けている。
【００３０】
ミラー土台保持材１３は、その高さはミラー２０と同一の高さでよい。形成材には、縦框１０で例示した材料を用いることができる。但し、表面の仕上げ材は不要である。
【００３１】
ミラー２２の上端部及び下端部に設けられ、ミラー２２を保持する各ミラー留め２４は、縦框１０と接着され、例えば金属又は樹脂により構成される。
【００３２】
また、棚柱２２は、市販の製品を用いることができる。
【００３３】
−ハンガーフック−
次に、ハンガーフックについて図６〜図８を参照しながら説明する。
【００３４】
図６は本実施形態に係るお出かけユニット１００にハンガーフック３０を取り付けた状態を示している。図６では、お出かけユニット１００に２つのハンガーフック３０を、いずれも向かって右側の棚柱２２に取り付けているが、向かって左側の棚柱２２に取り付けてもよく、左右に分けて取り付けてもよい。
【００３５】
図７にハンガーフック３０の正面構成を示し、図８にハンガーフック３０の側面構成を示す。図７及び図８に示すように、本実施形態に係るハンガーフック３０は、フック部本体３１と、該フック部本体３１の一端を支持部３２ａによって支持すると共に、裏面の係合部３２ｃによって棚柱２２の係合孔２２ａと係合可能なフック基部３２とから構成されている。
【００３６】
フック部本体３１は、径が１０ｍｍから２０ｍｍ程度の金属パイプにより構成することができる。該金属パイプは、例えばステンレス材等を用いることができる。フック部本体３１には、５０ｍｍから１００ｍｍ程度の間隔をおいて、高さが１０ｍｍ程度、径が５ｍｍ程度の円柱状の複数のフック部３１ａが固着されて設けられている。なお、該フック部３１ａは少なくとも１つ設ければ、本発明の効果を得ることができる。
【００３７】
フック基部３２の支持部３２ａは、例えば、フック部本体３１の端部を上下方向から挟むように配設された２枚の板状部材によって構成される。板状の支持部３２ａには、フック部本体３１の端部と共に、上下方向（フック部本体３１の長軸と交差する方向）に貫通するリベットからなる回動支持部３３が設けられている。ここで、フック部本体３１のフック基部３２側の先端部には、例えば、弾性部材（ゴム材）等からなる制動材３１ｂが付設されている。この制動材３１ｂは、フック基部３２の対向面と接触するように設けられており、フック部本体３１が回動支持部３３を支点として回動する際に、該フック部本体３１に制動力（摩擦力）が働いて、フック部本体３１を任意の位置で静止させることができる。なお、フック部本体３１のフック基部３２に対する制動力は、弾性部材による摩擦力に限られず、他の機械的な機構、例えばラチェット機構であってもよい。
【００３８】
フック基部３２の裏面に設けられた係合部３２ｃは、ここでは、棚柱２２の隣接する２つの係合孔２２ａと上方から係合するフック状に形成されている。該係合部３２ｃは、フック基部３２の表面側での、かしめ接合部３２ｂによって固着されている。なお、係合部３２ｃには、金属、例えば鋼材を用いることができる。
【００３９】
ハンガーフック３０における支持部３２ａ及び回動支持部３３を含めた係合部３２ｃは、通常の使用では、例えば男性用の厚手のオーバコートにも十分に耐え得るだけの耐荷重性能、例えば５ｋｇ程度を必要とする。さらには、幼児や児童のハンガーフック３０へのぶら下がりを考慮すると、１０ｋｇから１５ｋｇ程度を要する。
【００４０】
フック部本体３１は、フック基部３２側の端部から、３０ｍｍから５０ｍｍ程度の部位において、水平方向から下方に１０°から３０°程度だけ屈曲されて形成されている。これにより、フック部本体３１における回動支持部３３からの回転半径を小さくすることができる。従って、フック部本体３１を回動する際に利用者の邪魔になり難く、すなわち扱い易くなる。その上、フック部本体３１に設けたフック部３１ａにハンガーを掛けた際に、掛けられたハンガーが、重力によってフック部本体３１の先端方向に押し付けられるので、棒状のフック部３１ａでもハンガーが安定するという効果も生じる。なお、フック部本体３１の長さは、棚柱２２に取り付けた状態で、その先端部がミラー２０の横方向の中央部又は該中央部付近をやや越える程度の範囲に位置するように設定してもよい。
【００４１】
−使用方法−
図９に本実施形態に係るお出かけユニット１００とそのハンガーフック３０との使用方法、すなわち、衣服のコーディネート方法を説明する。
【００４２】
図９は、向かって右側の棚柱に２本のハンガーフック３０を取り付けて、ミラー２０の前面で保持した状態を示す。２本のハンガーフック３０の上段には、ジャケット５０がハンガーと共に掛けられ、その下段には、パンツ５１がハンガーと共に掛けられている。図示はしていないが、利用者が、ジャケット５０及びパンツ５１と重なるように、ミラー３０の前に立てば、実際にこれらの洋服に着替えることなく、コーディネートを容易に確認することができる。なお、ワンピース及びオーバコート等であれば、上段のハンガーフック３０のみで済むことはいうまでもない。ジャケット５０及びパンツ５１でのコーディネートが終了すれば、各ハンガーフック３０をミラー２０の外側に回動すれば、再び、通常のミラー２０として使用できるようになる。また、現在、着ている衣服のコーディネートも通常通り行うこともできる。さらには、複数のハンガーフック３０を用意すれば、家族で併行してコーディネートを行うことができる。
【００４３】
また、ハンガーフック３０を両側の棚柱２２に取り付け、洋服を吊したハンガーを左右のハンガーフック３０に掛けておけば、ミラー２０の前に交互に回転移動させることができる。従って、コーディネートをより効率的に行うことができる。
【００４４】
さらに、左右の棚柱２２に、別途、一対の棚用フックを取り付ければ、取り付けられた棚の上には、鞄、身だしなみ小物及び宝飾品（アクセサリ）等を載せることができる。また、お出かけユニット１００を洗面脱衣室に設置すれば、タオルに加え、ヘアスプレー、整髪剤及びボディークリーム等、種々のヘアケア用品及びボディケア用品を置くことができる。
【００４５】
なお、お出かけユニット１００に新たな棚を設けなくても、棚柱２２に設けた係合孔２２ａの１つに簡易フック（Ｓ字フック相当）を取り付け、身だしなみ小物等を該フックに掛けることも可能である。具体的には、服用ブラシ及び衣類スプレー等を掛ければ、衣服の手入れが可能となり、また、櫛及びヘアスプレー等を掛ければ、衣服のコーディネートと同時に、髪型を整えることも可能となる。
【００４６】
また、お出かけユニット１００の設置場所は、リビングや洗面脱衣室に限られず、玄関、寝室及び廊下にも設置可能である。さらに、壁面内に納める納め部材を用意すれば、該お出かけユニット１００を壁の厚さに組み込めるので、さらに、省スペース化を実現することができる。
【００４７】
また、図９に示すように、お出かけユニット１００の縦框１０におけるミラー２０の両側に、照明器具、例えばＬＥＤ照明具４０を取り付けてもよい。図９のように、それぞれドット状の複数個のＬＥＤ器具を取り付けてもよく、また、ライン状のＬＥＤ器具を取り付けてもよい。また、図示はしていないが、ミラー２０の上方で且つ縦框１０同士の間の隙間部分にも照明器具を取り付けてもよい。この場合、縦框１０自体に取り付けた照明器具は、照明の具合に応じて、取り付けても取り付けなくてもよい。
【００４８】
以上より、本実施形態に係るお出かけユニットによれば、本ユニットの奥行きは、実質的にミラーを保持する縦框の奥行きであるため、住宅内の場所を選ばずに設置することができる。
【００４９】
また、本実施形態に係るハンガーフックを棚柱に設けられた係合孔に取り付け、取り付けたハンガーフックをミラーの前面で保持して、所望の衣服を吊したハンガーを掛けると、自身の姿をハンガーに掛けた衣服と重ねて映すことができるので、衣服のコーディネートを容易に行うことができる。
【００５０】
また、棚柱の係合孔にフックを取り付け、身だしなみ小物等を該フックに掛けることも可能となる。さらに、棚柱がミラーの両方の側部に設けられている場合、一対の棚用フックで取り付けられた棚の上には、鞄、身だしなみ小物又は宝飾品（アクセサリ）等々を随時載せることができる。
【００５１】
（その他の実施形態）
図示はしないが、お出かけユニット１００に棚を設けないことを前提とすれば、全幅を３５０ｍｍから４００ｍｍ程度、高さを１６００ｍｍから１８００ｍｍ程度の小型にして軽量化すれば、部屋のなか又は複数の部屋間で移動可能なポータブルユニットとすることも可能である。
【産業上の利用可能性】
【００５２】
本発明に係るお出かけユニット及びハンガーフックは、室内を占有することなく、衣服のコーディネートを容易に行いたい用途に適用することができる。
【符号の説明】
【００５３】
１００  お出かけユニット
１０    縦框
１１    ミラー土台
１２    シート面材
１３    ミラー土台保持材
２０    ミラー
２２    棚柱
２２ａ  係合孔
２４    ミラー留め
３０    ハンガーフック
３１    フック部本体
３１ａ  フック部
３１ｂ  制動材
３２    フック基部
３２ａ  支持部
３２ｂ  かしめ接合部
３２ｃ  係合部
３３    回動支持部
【図１】
2017086386.tif 000003
【図２】
2017086386.tif 000004
【図３】
2017086386.tif 000005
【図４】
2017086386.tif 000006
【図５】
2017086386.tif 000007
【図６】
2017086386.tif 000008
【図７】
2017086386.tif 000009
【図８】
2017086386.tif 000010
【図９】
2017086386.tif 000011